(57)【要約】【課題】  カラオケで歌った歌声入りの楽曲を容易に取得できるカラオケ処理装置を実現する。【解決手段】  カラオケ録音装置４は、サーバー装置と通信ネットワークを介して通信可能であるとともに、伴奏音楽と利用者の歌声とを出力するカラオケ装置３に接続される。そして、カラオケ録音装置４は、カラオケ装置３から出力される伴奏音楽および利用者の歌声を合わせた伴奏付歌声を録音する録音処理部４１と、録音した記録データをサーバー装置に出力する送信データ生成部４６を備えている。これにより、利用者は、サーバー装置からカラオケで歌った歌声入りの楽曲を容易に取得することができる。【選択図】  図４                                                                         
2005274979.tif 000002
【特許請求の範囲】
【請求項１】
外部装置と通信ネットワークを介して通信可能であり、
伴奏音楽と利用者の歌声とを出力するカラオケ演奏装置に接続されるカラオケ処理装置であって、
カラオケ演奏装置から出力される伴奏音楽および利用者の歌声を合わせた伴奏付歌声を録音する記録手段と、
前記記録手段が録音した記録データを前記外部装置に出力する出力手段を備えることを特徴とするカラオケ処理装置。
【請求項２】
前記カラオケ演奏装置が、被写体を撮影する撮影部を備え、該撮影部が撮影した撮影画像を出力し、
前記記録手段が、さらに、カラオケ演奏装置から出力される撮影画像を録画して、録画したデータを前記記録データに含めることを特徴とする請求項１に記載のカラオケ処理装置。
【請求項３】
前記外部装置がデータの配信を行うサーバー装置であることを特徴とする請求項１または２に記載のカラオケ処理装置。
【請求項４】
前記出力手段が、前記記録データとともに、該記録データに関連した関連情報も前記サーバー装置に出力することを特徴とする請求項３に記載のカラオケ処理装置。
【請求項５】
利用者に対して情報を出力する情報出力装置と接続されており、
前記記録データを識別するための識別情報を生成する識別情報生成手段と、
前記識別情報生成手段が生成した識別情報を前記情報出力装置に出力する通知手段とを備え、
前記出力手段が、前記識別情報生成手段が生成した識別情報を前記関連情報に含めることを特徴とする請求項４に記載のカラオケ処理装置。
【請求項６】
通信端末を特定する端末情報を取得する端末情報取得手段を備え、
前記出力手段が、前記端末情報取得手段が取得した端末情報を前記関連情報に含めることを特徴とする請求項４に記載のカラオケ処理装置。
【請求項７】
前記カラオケ演奏装置が、伴奏音楽における各フレーズの時間位置情報を出力し、
前記カラオケ演奏装置が出力する時間位置情報を一時記憶する記憶部と、
利用者の操作に応じてフレーズを選択し、選択したフレーズと前記記憶部が記憶する時間位置情報とを基に、前記記録手段が記録した記録データから選択したフレーズの部分を切り出す切り出し手段とを備え、
前記出力手段が、前記切り出し手段が切り出した部分の記録データを出力することを特徴とする請求項３に記載のカラオケ処理装置。
【請求項８】
前記記録データを再生することのできる再生装置と接続されており、
前記切り出し手段が、切り出した記録データを前記再生装置に再生させることを特徴とする請求項７に記載のカラオケ処理装置。
【請求項９】
前記出力手段が、前記記録手段が記録した記録データに対して圧縮処理を行い、圧縮した記録データを出力することを特徴とする請求項３に記載のカラオケ処理装置。
【請求項１０】
請求項１〜９のうちいずれか１項に記載のカラオケ処理装置と、伴奏音楽と利用者の歌声とを出力するカラオケ演奏装置とを備えることを特徴とするカラオケ演奏処理装置。
【請求項１１】
カラオケ演奏装置から出力される伴奏音楽および利用者の歌声を合わせて録音し、録音データを含む記録データを出力するカラオケ処理装置と通信ネットワークを介して通信可能なサーバー装置であって、
前記カラオケ処理装置が出力する記録データを受信するデータ受信手段と、
前記データ受信手段が受信した記録データを記憶部に格納する格納手段と、
通信端末から前記記録データを特定した送信要求を受け、該送信要求で特定された記録データを前記記憶部から読み出し、読み出した記録データを前記通信端末に送信する送信手段とを備えることを特徴とするサーバー装置。
【請求項１２】
前記送信手段が記録データを送信する送信先の通信端末に応じて、前記送信手段が読み出した記録データのデータ形式を変換する変換手段を備え、
前記送信手段が、前記変換手段が変換した記録データを前記通信端末に送信することを特徴とする請求項１１に記載のサーバー装置。
【請求項１３】
前記カラオケ演奏装置が、被写体を撮影する撮影部を備え、
前記カラオケ処理装置が、前記撮影部が撮影した撮影画像の録画データを前記記録データに含ませることを特徴とする請求項１１に記載のサーバー装置。
【請求項１４】
前記データ受信手段が、前記カラオケ処理装置から記録データを識別する識別情報を受信し、
前記格納手段が、前記データ受信手段が受信した識別情報を、記録データと対応付けて記憶部に格納し、
前記送信手段が、通信端末から識別情報を受け、受けた識別情報に対応する記録データを前記記憶部から読み出すことを特徴とする請求項１１に記載のサーバー装置。
【請求項１５】
前記データ受信手段が、前記カラオケ処理装置から記録データとともに通信端末を特定する端末情報を受信し、
前記送信手段が、前記データ受信手段が受信した端末情報で特定された通信端末に対して、記録データを出力することを特徴とする請求項１１に記載のサーバー装置。
【請求項１６】
前記データ受信手段が、前記カラオケ処理装置から記録データとともに通信端末を特定する端末情報を受信し、
前記データ受信手段が受信した記録データに対して、該記録データを識別するための識別情報を付与するとともに、データ受信手段が受信した端末情報で特定された通信端末に対して、付与した識別情報を送信する識別情報付与手段を備え、
前記格納手段が、前記データ受信手段が受信した記録データと、前記識別情報付与手段が付与した識別情報とを対応付けて記憶部に格納し、
前記送信手段が、識別情報を受信し、受信した識別情報に対応する記録データを前記記憶部から読み出すことを特徴とする請求項１１に記載のサーバー装置。
【請求項１７】
請求項１〜９のうちいずれか１項に記載のカラオケ処理装置と、請求項１１〜１６のうちいずれか１項に記載のサーバー装置と、通信端末とを備え、
前記通信端末は、前記カラオケ処理装置が記録した記録データを、前記サーバー装置から取得することを特徴とする通信システム。
【請求項１８】
外部装置と通信ネットワークを介して通信可能であり、
伴奏音楽と利用者の歌声とを出力するカラオケ演奏装置に接続されるカラオケ処理装置の制御方法であって、
カラオケ演奏装置から出力される伴奏音楽および利用者の歌声を合わせた伴奏付歌声を録音するステップと、
録音した記録データを前記外部装置に出力するステップとを備えることを特徴とするカラオケ処理装置の制御方法。
【請求項１９】
カラオケ演奏装置から出力される伴奏音楽および利用者の歌声を合わせて録音し、録音データを含む記録データを出力するカラオケ処理装置と通信ネットワークを介して通信可能なサーバー装置の制御方法であって、
前記カラオケ処理装置が出力する記録データを受信するステップと、
前記データ受信手段が受信した記録データを記憶部に格納するステップと、
通信端末から前記記録データを特定した送信要求を受け、該送信要求で特定された記録データを前記記憶部から読み出し、読み出した記録データを前記通信端末に送信するステップとを備えることを特徴とするサーバー装置の制御方法。
【請求項２０】
請求項１〜９のうちいずれか１項に記載のカラオケ処理装置を動作させる制御プログラムであって、コンピュータを上記の各手段として機能させるための制御プログラム。
【請求項２１】
請求項１０に記載のカラオケ演奏処理装置を動作させる制御プログラムであって、コンピュータを上記の各手段として機能させるための制御プログラム。
【請求項２２】
請求項１１〜１６のうちいずれか１項に記載のサーバー装置を動作させる制御プログラムであって、コンピュータを上記の各手段として機能させるための制御プログラム。
【請求項２３】
請求項２０〜２２のうちいずれか１項に記載の制御プログラムを記録した記録媒体。
【発明の詳細な説明】
【技術分野】
【０００１】
本発明は、カラオケ演奏装置から出力されるデータの処理を行うカラオケ処理装置、カラオケ演奏処理装置、サーバー装置、通信システム、カラオケ処理装置の制御方法、サーバー装置の制御方法、制御プログラムおよび記録媒体に関するものである。
【背景技術】
【０００２】
近年の携帯電話の普及・発達にはめざましいものがある。携帯電話は、単なる通話機能だけではなく、電話端末同士のメール・電子メール・インターネットへの接続、等のサービスがあり、多機能になっている。
【０００３】
例えば、ＷＷＷ（World Wide Web）ブラウザの機能を備えており、パケット通信網を介してインターネットなどに接続できる携帯電話機が普及している。このような携帯電話機は、インターネット接続サービス（ｉ−ｍｏｄｅ（登録商標）など）を介して、各種Ｗｅｂサーバーと接続される。このような携帯電話機でよく利用される機能として、利用者がＷｅｂページから着信メロディをダウンロードし、自分の気に入ったものに自由に変更できる機能がある。特許文献１では、カラオケシステムの保有する大量のカラオケ伴奏群の中から携帯電話の利用者の個性に合った着信メロディを簡単にダウンロードできるサービスが開示されている。
【０００４】
また、最近になって、メロディに歌手の歌声が加わった着うた（登録商標）の機能を備える携帯電話が製品化されている。
【０００５】
一方、一般的な遊戯施設としてカラオケ施設が普及しており、伴奏音楽にあわせて、利用者が歌うことがよく行われている。カラオケとは、伴奏音楽を演奏させ、利用者が該伴奏音楽にあわせて歌を歌う遊戯のことである。一般的なカラオケ施設では、伴奏音楽と、利用者がマイクに向かって発した歌声とを混合し、該混合音をスピーカに出力させるカラオケ演奏装置が設置されている。なお、端末装置に対して、カラオケ会場で利用者が撮影したデジタル画像データを提供する技術が特許文献２に開示されている。
【特許文献１】特開２０００−２９５３７４公報（２０００年１０月２０日公開）
【特許文献２】特開２００２−２９７１６１公報（２００２年１０月１１日公開）
【発明の開示】
【発明が解決しようとする課題】
【０００６】
ところで、現在利用されている着うた（登録商標）は、歌手が歌った歌声のものであり、携帯電話の利用者は、独自の着信音として、自分が歌った歌声入りの楽曲を着信音として使用したいという欲求がある。特に、一般的な遊戯施設であるカラオケ施設で歌った歌声を利用できると便利である。しかしながら、カラオケ施設で歌った歌声入りの楽曲を簡単に携帯電話等の通信端末に取り入れる方法は、従来、具体化されていなかった。
【０００７】
本発明は、以上の点に鑑みてなされたものであり、カラオケで歌った歌声入りの楽曲を容易に取得できるカラオケ処理装置、カラオケ演奏処理装置、サーバー装置、通信システム、カラオケ処理装置の制御方法、サーバー装置の制御方法、制御プログラムおよび記録媒体を実現することを目的とする。
【課題を解決するための手段】
【０００８】
本発明のカラオケ処理装置は、上記の課題を解決するために、外部装置と通信ネットワークを介して通信可能であり、伴奏音楽と利用者の歌声とを出力するカラオケ演奏装置に接続されるカラオケ処理装置であって、カラオケ演奏装置から出力される伴奏音楽および利用者の歌声を合わせた伴奏付歌声を録音する記録手段と、前記記録手段が録音した記録データを前記外部装置に出力する出力手段を備えることを特徴としている。
【０００９】
また、本発明のカラオケ処理装置の制御方法は、上記の課題を解決するために、外部装置と通信ネットワークを介して通信可能であり、伴奏音楽と利用者の歌声とを出力するカラオケ演奏装置に接続されるカラオケ処理装置の制御方法であって、カラオケ演奏装置から出力される伴奏音楽および利用者の歌声を合わせた伴奏付歌声を録音するステップと、録音した記録データを前記外部装置に出力するステップとを備えることを特徴としている。
【００１０】
上記の構成または方法によれば、カラオケ演奏装置から出力される伴奏音楽および利用者の歌声を合わせた伴奏付歌声を録音するとともに、録音した記録データを外部装置に出力する。そのため、利用者は、カラオケ処理装置から伴奏付歌声、つまり、カラオケで歌った歌声入りの楽曲を、容易に外部装置に取り入れることができる。また、カラオケで歌った歌声入りの楽曲を容易に取得することができるため、利用者がカラオケ施設を利用する回数が増えるので、カラオケ施設の集客率が向上するという効果を奏する。
【００１１】
さらに、本発明のカラオケ処理装置は、上記の構成に加えて、前記カラオケ演奏装置が、被写体を撮影する撮影部を備え、該撮影部が撮影した撮影画像を出力し、前記記録手段が、さらに、カラオケ演奏装置から出力される撮影画像を録画して、録画したデータを前記記録データに含めることを特徴としている。
【００１２】
上記の構成によれば、記録手段が、さらに、カラオケ演奏装置から出力される撮影画像を録画するため、記録データに該録画データが含まれる。よって、利用者は、カラオケで歌っている姿の画像を取得することができ、該画像を楽しむことができるという効果を奏する。例えば、利用者は、所有する携帯型電話機の着信画像として、取得した画像を利用することが可能となる。
【００１３】
さらに、本発明のカラオケ処理装置は、上記の構成に加えて、前記外部装置がデータの配信を行うサーバー装置であることを特徴とすることを特徴としている。
【００１４】
上記の構成によれば、カラオケ演奏装置から出力される伴奏音楽および利用者の歌声を合わせた伴奏付歌声を録音するとともに、録音した記録データをサーバー装置に出力する。そのため、利用者は、サーバー装置から、カラオケで歌った歌声入りの楽曲を取得することができる。
【００１５】
例えば、利用者は、所有する携帯型電話機の着信画像として、サーバー装置から取得した画像を利用することが可能となる。
【００１６】
さらに、本発明のカラオケ処理装置は、上記の構成に加えて、前記出力手段が、前記記録データとともに、該記録データに関連した関連情報も前記サーバー装置に出力することを特徴としている。
【００１７】
上記の構成によれば、出力手段が、記録データ（つまり、伴奏付歌声データまたは上記撮影部が撮影した画像データ）に関連した関連情報をサーバー装置に出力する。そのため、利用者は、該関連情報を基に記録データを特定しやすくなり、より一層容易に、サーバー装置から所望の伴奏付歌声データまたは画像データを取得することができるという効果を奏する。
【００１８】
さらに、本発明のカラオケ処理装置は、上記の構成に加えて、利用者に対して情報を出力する情報出力装置と接続されており、前記記録データを識別するための識別情報を生成する識別情報生成手段と、前記識別情報生成手段が生成した識別情報を前記情報出力装置に出力する通知手段とを備え、前記出力手段が、前記識別情報生成手段が生成した識別情報を前記関連情報に含めることを特徴としている。
【００１９】
上記の構成によれば、通知手段は、識別情報生成手段が生成した記録データを識別するための識別情報を利用者に通知する。そのため、利用者は、識別情報を知ることができる。そして、出力手段が該識別情報を前記関連情報に含めるため、利用者は、通知手段から知らされた識別情報を基に、容易にサーバー装置から所望の伴奏付歌声データまたは画像データを取得することができるという効果を奏する。
【００２０】
なお、情報出力装置とは、例えば、ディスプレイなどの表示装置や、プリンタなどである。
【００２１】
さらに、本発明のカラオケ処理装置は、上記の構成に加えて、通信端末を特定する端末情報を取得する端末情報取得手段を備え、前記出力手段が、前記端末情報取得手段が取得した端末情報を前記関連情報に含めることを特徴としている。
【００２２】
上記の構成によれば、出力手段が、端末情報取得手段が取得した端末情報を関連情報に含めるため、サーバー装置は、通信端末を特定することができ、特定した通信端末に対して、通信ネットワークを介して所定の通知を行うことができる。所定の通知とは、例えば、サーバー装置のアドレスや、ＷｅｂページのＵＲＬや、カラオケ処理装置から受信した記録データの識別情報などである。これにより、利用者は、容易にサーバー装置から所望の伴奏付歌声データまたは画像データを取得することができるという効果を奏する。
【００２３】
さらに、本発明のカラオケ処理装置は、上記の構成に加えて、前記カラオケ演奏装置が、伴奏音楽における各フレーズの時間位置情報を出力し、前記カラオケ演奏装置が出力する時間位置情報を一時記憶する記憶部と、利用者の操作に応じてフレーズを選択し、選択したフレーズと前記記憶部が記憶する時間位置情報とを基に、前記記録手段が記録した記録データから選択したフレーズの部分を切り出す切り出し手段とを備え、前記出力手段が、前記切り出し手段が切り出した部分の記録データを出力することを特徴としている。
【００２４】
上記の構成によれば、切り出し手段は、利用者の操作に応じてフレーズを選択し、記録手段が記録した記録データから選択したフレーズの部分を切り出す。そして、出力手段が、前記切り出し手段が切り出した部分の記録データを出力する。そのため、利用者は、記録データのうち所望の部分だけを取得することができる。また、カラオケ処理装置やサーバー装置は、送信するデータの容量を削減することができる。さらに、サーバー装置は、より多くの記録データを記憶することができるという効果を奏する。
【００２５】
さらに、本発明のカラオケ処理装置は、上記の構成に加えて、前記記録データを再生することのできる再生装置と接続されており、前記切り出し手段が、切り出した記録データを前記再生装置に再生させることを特徴としている。
【００２６】
上記の構成によれば、利用者は、切り出し手段が切り出した記録データを確認することができるという効果を奏する。
【００２７】
さらに、本発明のカラオケ処理装置は、上記の構成に加えて、前記出力手段が、前記記録手段が記録した記録データに対して圧縮処理を行い、圧縮した記録データを出力することを特徴としている。
【００２８】
上記の構成によれば、出力手段が、記録データに対して圧縮処理を行い、圧縮した記録データを出力する。これにより、出力手段がサーバー装置に対して出力するデータの容量を減らすことができる。その結果、データ出力に要する時間、通信費用を削減することができるという効果を奏する。
【００２９】
また、本発明のカラオケ演奏処理装置は、上記カラオケ処理装置と、伴奏音楽と利用者の歌声とを出力するカラオケ演奏装置とを備えることを特徴としている。
【００３０】
上記の構成によれば、上記カラオケ処理装置とカラオケ演奏装置とが一体化された一つの装置で実現されるため、筐体等に要する費用を削減することができるという効果を奏する。
【００３１】
また、本発明のサーバー装置は、上記の課題を解決するために、カラオケ演奏装置から出力される伴奏音楽および利用者の歌声を合わせて録音し、録音データを含む記録データを出力するカラオケ処理装置と通信ネットワークを介して通信可能なサーバー装置であって、前記カラオケ処理装置が出力する記録データを受信するデータ受信手段と、前記データ受信手段が受信した記録データを記憶部に格納する格納手段と、通信端末から前記記録データを特定した送信要求を受け、該送信要求で特定された記録データを前記記憶部から読み出し、読み出した記録データを前記通信端末に送信する送信手段とを備えることを特徴としている。
【００３２】
また、本発明のサーバー装置の制御方法は、上記の課題を解決するために、カラオケ演奏装置から出力される伴奏音楽および利用者の歌声を合わせて録音し、録音データを含む記録データを出力するカラオケ処理装置と通信ネットワークを介して通信可能なサーバー装置の制御方法であって、前記カラオケ処理装置が出力する記録データを受信するステップと、前記データ受信手段が受信した記録データを記憶部に格納するステップと、通信端末から前記記録データを特定した送信要求を受け、該送信要求で特定された記録データを前記記憶部から読み出し、読み出した記録データを前記通信端末に送信するステップとを備えることを特徴としている。
【００３３】
上記の構成または方法によれば、通信端末から記録データを特定した送信要求を受け、送信要求で特定された記録データを記憶部から読み出し、読み出した記録データを通信端末に送信する。そのため、利用者は、サーバー装置から伴奏付歌声、つまり、カラオケで歌った歌声入りの楽曲を取得することができる。また、カラオケで歌った歌声入りの楽曲を取得するため、利用者がカラオケ施設を利用する回数が増えるので、カラオケ施設の集客率が向上するという効果を奏する。
【００３４】
さらに、本発明のサーバー装置は、上記の構成に加えて、前記送信手段が記録データを送信する送信先の通信端末に応じて、前記送信手段が読み出した記録データをのデータ形式を変換する変換手段を備え、前記送信手段が、前記変換手段が変換した記録データを前記通信端末に送信することを特徴としている。
【００３５】
上記の構成によれば、送信手段は、送信先の通信端末に応じて変換された記録データを、該通信端末に送信する。そのため、通信端末側においてデータ形式の変換処理を行う必要がなく、利用者は、すぐに記録データを再生することができる。例えば、通信端末が携帯型電話機である場合、利用者は、サーバー装置から取得した歌声入りの楽曲を、即座に着信音等として鳴らすことができるという効果を奏する。
【００３６】
さらに、本発明のサーバー装置は、上記の構成に加えて、前記カラオケ演奏装置が、被写体を撮影する撮影部を備え、前記カラオケ処理装置が、前記撮影部が撮影した撮影画像の録画データを前記記録データに含ませることを特徴としている。
【００３７】
上記の構成によれば、利用者は、サーバー装置からカラオケで歌っている姿の画像を取得することができ、該画像を楽しむことができる。例えば、利用者は、所有する携帯型電話機の着信画像として、サーバー装置から取得した画像を利用することが可能となるという効果を奏する。
【００３８】
さらに、本発明のサーバー装置は、上記の構成に加えて、前記データ受信手段が、前記カラオケ処理装置から記録データを識別する識別情報を受信し、前記格納手段が、前記データ受信手段が受信した識別情報を、記録データと対応付けて記憶部に格納し、前記送信手段が、通信端末から識別情報を受け、受けた識別情報に対応する記録データを前記記憶部から読み出すことを特徴としている。
【００３９】
上記の構成によれば、データ受信手段が、カラオケ処理装置から記録データを識別する識別情報を受信する。そのため、カラオケ処理装置側で、識別情報を記録データに付与することができ、利用者は、カラオケ施設にいるときに識別情報を得ることができる。
【００４０】
そして、格納手段が、前記データ受信手段が受信した識別情報を、記録データと対応付けて記憶部に格納し、前記送信手段が、通信端末から識別情報を受け、受けた識別情報に対応する記録データを前記記憶部から読み出す。これにより、利用者は、カラオケ施設で取得した識別情報を基に、サーバー装置から所望の記録データを取得することができるという効果を奏する。
【００４１】
さらに、本発明のサーバー装置は、上記の構成に加えて、前記データ受信手段が、前記カラオケ処理装置から記録データとともに通信端末を特定する端末情報を受信し、前記送信手段が、前記データ受信手段が受信した端末情報に特定された通信端末に対して、記録データを出力することを特徴としている。
【００４２】
上記の構成によれば、データ受信手段が、前記カラオケ処理装置から記録データとともに通信端末を特定する端末情報を受信する。よって、カラオケ施設において、利用者が記録データを取り入れる通信端末の端末情報をカラオケ処理装置に入力することで、記録データを送信すべき通信端末を特定することができる。それゆえ、利用者は、容易に記録データを取得することができるという効果を奏する。
【００４３】
さらに、本発明のサーバー装置は、上記の構成に加えて、前記データ受信手段が、前記カラオケ処理装置から記録データとともに通信端末を特定する端末情報を受信し、前記データ受信手段が受信した記録データに対して、該記録データを識別するための識別情報を付与するとともに、データ受信手段が受信した端末情報で特定された通信端末に対して、付与した識別情報を送信する識別情報付与手段を備え、前記格納手段が、前記データ受信手段が受信した記録データと、前記識別情報付与手段が付与した識別情報とを対応付けて記憶部に格納し、前記送信手段が、識別情報を受信し、受信した識別情報に対応する記録データを前記記憶部から読み出すことを特徴としている。
【００４４】
上記の構成によれば、データ受信手段が、前記カラオケ処理装置から記録データとともに通信端末を特定する端末情報を受信し、識別情報付与手段が、端末情報で特定された通信端末に対して、付与した識別情報を送信する。そのため、利用者は、所有する通信端末の端末情報をカラオケ処理装置に入力することで、所望の記録データを識別する識別情報を得ることができる。
【００４５】
そして、送信手段が、識別情報を受信し、受信した識別情報に対応する記録データを前記記憶部から読み出す。そのため、利用者は、得た識別情報をサーバー装置に送信することで、容易に所望の記録データを取得することができるという効果を奏する。
【００４６】
さらに、本発明の通信システムは、上記の課題を解決するために、上記カラオケ処理装置と、上記サーバー装置と、通信端末とを備え、前記通信端末は、前記カラオケ処理装置が記録した前記記録データを、前記サーバー装置から取得することを特徴としている。
【００４７】
上記の構成によれば、カラオケ施設の利用者は、外部通信装置に対して、サーバー装置から伴奏付歌声、つまり、カラオケで歌った歌声入りの楽曲を容易に取り入れることができる。例えば、通信端末が携帯型電話機である場合、利用者は、該携帯型電話機の着信音として、サーバー装置から取得した伴奏付歌声を利用することが可能となる。また、カラオケで歌った歌声入りの楽曲を取得するため、利用者がカラオケ施設を利用する回数が増えるので、カラオケ施設の集客率が向上するという効果を奏する。
【００４８】
また、本発明の制御プログラムは、コンピュータを上記の各手段として機能させるコンピュータ・プログラムである。
【００４９】
上記の構成により、コンピュータで上記カラオケ処理装置、カラオケ演奏処理装置またはサーバー装置の各手段を実現することによって、上記カラオケ処理装置、カラオケ演奏処理装置またはサーバー装置を実現することができる。
【００５０】
また、本発明の記録媒体は、上記の各手段をコンピュータに実現させて、上記カラオケ処理装置またはサーバー装置を動作させる上記制御プログラムを記録したコンピュータ読み取り可能な記録媒体である。
【００５１】
上記の構成により、上記記録媒体から読み出された制御プログラムによって、上記カラオケ処理装置またはサーバー装置をコンピュータ上に実現することができる。
【発明の効果】
【００５２】
本発明に係るカラオケ処理装置、カラオケ演奏処理装置、サーバー装置、通信システム、カラオケ装置の制御方法、サーバー装置の制御方法、制御プログラムおよび記録媒体によれば、以上のように、利用者は、カラオケで歌った歌声入りの楽曲を容易に取得できる。また、カラオケで歌った歌声入りの楽曲を取得するため、利用者がカラオケ施設を利用する回数が増えるので、カラオケ施設の集客率が向上するという効果を奏する。
【発明を実施するための最良の形態】
【００５３】
〔実施形態１〕
本発明の一実施形態について図１ないし図９に基づいて説明すると以下の通りである。
【００５４】
図１は、本実施形態に係るカラオケ録音装置（カラオケ処理装置）４およびカラオケ着信音サーバー（サーバー装置）８を含むカラオケ着信音配信システム（通信システム）の全体を示すブロック図である。図１に示されるように、カラオケ着信音配信システムは、カラオケ伴奏（以下、単に伴奏とよぶ）を演奏するとともに、該伴奏および利用者の歌声を録音するカラオケシステム７と、携帯電話（通信端末）９と、上記カラオケシステム７に新曲のカラオケデータを配信するためのカラオケ配信サーバー１と、上記携帯電話９と無線通信を行う携帯電話キャリア網Ｃと、上記携帯電話９の着信音として、上記カラオケシステム７で録音されたカラオケ伴奏および歌声を含むカラオケ伴奏付歌声データ（伴奏付歌声データ）を携帯電話９に送信するためのカラオケ着信音サーバー８とを含む。また、カラオケ配信サーバー１、カラオケシステム７、カラオケ着信音サーバー８および携帯電話キャリア網Ｃは、通信ネットワークＮに接続されている。
【００５５】
利用者は、カラオケシステム７を用いてカラオケを行った後、該カラオケシステム７で録音された自分の歌声入り楽曲（伴奏付歌声）を、携帯電話９の着信音として、カラオケ着信音サーバー８からダウンロードすることができる。
【００５６】
カラオケシステム７は、例えばカラオケ会場内に設置されるものである。カラオケシステム７は、カラオケの伴奏および利用者の歌声を音として出力するとともに、該伴奏および歌声を含む伴奏付歌声データをカラオケ録音装置４に出力するカラオケ装置（カラオケ演奏装置）３と、カラオケ装置３から出力された伴奏付歌声データを録音するためのカラオケ録音装置４と、利用者に対して映像を表示する表示装置（情報出力装置）５と、上記カラオケ装置３およびカラオケ録音装置４を遠隔操作するためのリモコン（リモート・コントロール）６と、上記カラオケ装置３およびカラオケ録音装置４と通信ネットワークＮとの間のデータ送受信を中継する通信装置２とから構成される。
【００５７】
また、携帯電話９は、通常の通話機能に加えて、文字入力機能およびＷＷＷブラウザの機能を備え、携帯電話キャリア網Ｃを介して、インターネットに接続できる。そして、携帯電話９は、インターネット接続により、様々なＷｅｂサーバーから各種データをダウンロードできる。また、携帯電話９は、人間の歌声を着信音として出力することのできる機能を備えている。さらに、携帯電話９は、電子メールの送受信機能を有しているものとする。
【００５８】
（カラオケ配信サーバー、カラオケ装置の構成について）
図２は、カラオケ配信サーバー１およびカラオケ装置３の構成を示すブロック図である。図１で示したように、カラオケ配信サーバー１とカラオケ装置３とは、通信ネットワークＮおよび通信装置２を介して、接続されている。
【００５９】
まず、カラオケ配信サーバー１について説明する。カラオケ配信サーバー１は、カラオケ装置３に対して、新曲データを配信するためのものである。カラオケ配信サーバー１は、データ配信部１１および記憶部１２を備えている。
【００６０】
記憶部１２は、カラオケ装置３に配信すべき新曲のカラオケデータを記憶している。なお、記憶部１２は、カラオケデータとして、カラオケの基本となる伴奏音楽データの一種であるＭＩＤＩ(Musical Instrument Digital Interface)ファイル１２ａと、該伴奏における各フレーズの時間位置を表す時間位置情報１２ｂと、該伴奏に対応する歌詞情報１２ｃとを記憶している。ＭＩＤＩファイル１２ａ、時間位置情報１２ｂおよび歌詞情報１２ｃは、楽曲ごとに定められており、各楽曲番号に対応付けられている。なお、記憶部１２へのデータの書き込みは、カラオケ配信サーバーを管理する管理装置（図示しない）によって行われる。
【００６１】
図３は、記憶部１２が記憶する時間位置情報１２ｂの一例である。図３に示されるように、記憶部１２は、楽曲番号１１Ａ２２２２に対応して、歌詞１番のＡメロが時間０：２０〜０：４０、歌詞１番のＢメロが時間０：４０〜０：５５、…であることを記憶している。
【００６２】
データ配信部１１は、通信ネットワークＮおよび通信装置２を介して、上記記憶部１２に格納されたＭＩＤＩファイル１２ａ、時間位置情報１２ｂおよび歌詞情報１２ｃを含むカラオケデータをカラオケ装置３に配信するためのものである。
【００６３】
次に、カラオケ装置３について説明する。図２で示すカラオケ装置３は、伴奏を演奏するとともに、利用者の歌声を拡声出力させるものである。カラオケ装置３は、データ更新部３１、記憶部３２、制御部３３、ミキサー３４、スピーカ３５、マイク３６およびリモコン受信部３７を備えている。また、カラオケ装置３は、通信装置２、カラオケ録音装置４および表示装置５と接続されており、さらに、リモコン６から遠隔操作される。
【００６４】
データ更新部３１は、通信ネットワークＮおよび通信装置２を介して、カラオケ配信サーバー１から配信された新曲のカラオケデータを受信し、受信したカラオケデータを記憶部３２に格納する。これにより、利用者は、新曲のカラオケを楽しむことができる。記憶部３２は、ＭＩＤＩファイル３２ａ、時間位置情報３２ｂおよび歌詞情報３２ｃを含むカラオケデータを、楽曲番号に対応付けて記憶している。
【００６５】
リモコン受信部３７は、リモコン６からカラオケを行う楽曲番号を受信し、受信した楽曲番号を制御部３３に伝達する。
【００６６】
制御部３３は、リモコン受信部３７からの楽曲番号に対応するカラオケデータを記憶部３２から読み出し、読み出したカラオケデータを基に、カラオケ演奏のための処理を行う。制御部３３は、音楽処理部３３ａおよび映像処理部３３ｂを含む。
【００６７】
音楽処理部３３ａは、記憶部３２から読み出したＭＩＤＩファイル３２ａを基に、各楽器の音を復元させ、復元させた音データをミキサー３４に出力する。また、映像処理部３３ｂは、記憶部３２から読み出した歌詞情報３２ｃを基に、表示装置５に歌詞および背景映像を表示させる。
【００６８】
なお、制御部３３は、記憶部３２から読み出した時間位置情報３２ｂをそのままカラオケ録音装置４に出力する。
【００６９】
ミキサー３４は、音楽処理部３３ａが復元した伴奏と、マイク３６に入力される利用者の歌声とを混合させ、混合した音を所定の増幅率で増幅し、スピーカ３５から出力する。また、ミキサー３４は、伴奏と歌声とを混合した音データである歌声入りカラオケ伴奏付歌声データをカラオケ録音装置４に出力する。
【００７０】
このように、カラオケ装置３は、カラオケ配信サーバー１から新曲のカラオケデータが配信される。また、カラオケ装置３は、利用者がリモコン６を用いて指定した楽曲番号に対応する伴奏と、利用者の歌声とをスピーカ３５から出力するとともに、伴奏付歌声データをカラオケ録音装置４に出力する。さらに、カラオケ装置３は、指定された楽曲番号に対応する時間位置情報３２ｂをカラオケ録音装置４に出力する。
【００７１】
（カラオケ録音装置について）
次に、カラオケ録音装置４について、図４を参照しながら説明する。図４は、カラオケ録音装置４の構成を示すブロック図である。図４に示されるように、カラオケ録音装置４は、録音処理部（記録手段）４１、記憶部４２、暗証番号取得部４３、切り出し部（切り出し手段）４４、ＩＤ番号付与部（識別情報生成手段）４５、送信データ生成部（出力手段）４６、リモコン受信部４７および通知部（通知手段）４９を備えている。また、図１でも示したように、カラオケ録音装置４は、通信装置２、カラオケ装置３および表示装置５と接続されており、さらに、リモコン６からの指示を受信する。
【００７２】
録音処理部４１は、カラオケ装置３から出力される伴奏付歌声データおよび時間位置情報を受けて、該伴奏付歌声データおよび時間位置情報を記憶部４２に格納するためのものである。録音処理部４１は、カラオケ装置３から出力される伴奏付歌声データを、デジタル形式に変換したうえで、記憶部４２に録音する。録音処理部４１は、１楽曲ごとに、記憶部４２への伴奏付歌声データ４２ａおよび時間位置情報４２ｂの書き込みを終えると、書き込み終了を表す書き込み終了信号を暗証番号取得部４３に出力する。
【００７３】
なお、記憶部４２は、情報を一時記憶するためのものであり、例えばメモリ等で構成される。記憶部４２は、録音処理部４１により書き込まれた伴奏付歌声データ４２ａおよび時間位置情報４２ｂを記憶する。
【００７４】
リモコン受信部４７は、リモコン６からの信号を受信するためのものである。ただし、リモコン受信部４７は、受信を待機する受信待機状態にあるときにのみ、該信号を受信する。リモコン受信部４７は、暗証番号取得部４３または切り出し部４４によりその動作が制御される。
【００７５】
暗証番号取得部４３は、利用者から暗証番号を取得するためのものである。暗証番号取得部４３は、録音処理部４１から書き込み終了信号を受けると、カラオケで歌った歌声と伴奏とを携帯電話９の着信音として利用するか否かを確認し、表示装置５に暗証番号入力画面を表示させるとともに、リモコン受信部４７を暗証番号の受信を待機する暗証番号受信待機状態とする。そして、暗証番号取得部４３は、リモコン受信部４７から暗証番号を取得する。暗証番号取得部４３は、取得した暗証番号を切り出し部４４に出力する。
【００７６】
切り出し部４４は、記憶部４２に格納された伴奏付歌声データ４２ａから、利用者が所望する箇所を切り出すためのものである。切り出し部４４は、暗証番号取得部４３から暗証番号が入力されると、記憶部４２から時間位置情報４２ｂを読み出し、読み出した時間位置情報４２ｂを基に、何れか一つのフレーズを選択させるフレーズ選択画面を表示装置５に表示させる。また、切り出し部４４は、リモコン受信部４７を選択フレーズ指示の受信を待機する選択フレーズ受信待機状態とする。そして、切り出し部４４は、リモコン受信部４７から、利用者が選択した選択フレーズを取得する。
【００７７】
切り出し部４４は、時間位置情報４２ｂを基に、リモコン受信部４７が受信した選択フレーズに対応する時間を特定する。そして、切り出し部４４は、伴奏付歌声データ４２ａの中から特定した時間に対応する箇所を切り出し、暗証番号とともに、切り出した伴奏付歌声データ（伴奏付歌声切り出しデータ）をＩＤ番号付与部４５に出力する。
【００７８】
ＩＤ番号付与部４５は、切り出し部４４が切り出した伴奏付歌声切り出しデータを識別するための識別情報として、ユニークに決められたＩＤ番号を付与するためのものである。ＩＤ番号付与部４５は、ＩＤ番号を付与した伴奏付歌声切り出しデータおよび暗証番号を後段の送信データ生成部４６に出力する。
【００７９】
送信データ生成部４６は、ＩＤ番号が付与された伴奏付歌声切り出しデータおよび暗証番号を基に、カラオケ着信音サーバー８に送信する送信データを生成するためのものである。
【００８０】
送信データ生成部４６は、伴奏付歌声切り出しデータの圧縮処理を行い、圧縮済の伴奏付歌声（伴奏付歌声圧縮データ）を作成する。送信データ生成部４６は、ＩＤ番号および暗証番号を付加した上記伴奏付歌声圧縮データを送信データとして生成し、通信装置２および通信ネットワークＮを介して、該送信データをカラオケ着信音サーバー８に送信する。また、送信データ生成部４６は、送信したＩＤ番号、暗証番号を通知部４９に出力する。
【００８１】
通知部４９は、所定の情報を表示装置５に表示させ、利用者に対して該情報を通知させるためのものである。通知部４９は、送信データ生成部４６からＩＤ番号および暗証番号を受信すると、受信したＩＤ番号、暗証番号およびカラオケ着信音サーバー８が提供するＷｅｂページのＵＲＬを表示装置５に所定時間表示させる。これにより、利用者は、自身が入力した暗証番号を再確認するとともに、ＩＤ番号およびアクセス先のＵＲＬを特定することができる。
【００８２】
（カラオケ着信音サーバーについて）
次に、カラオケ着信音サーバー８の構成について、図５を参照しながら説明する。図５に示されるように、カラオケ着信音サーバー８は、通信部８１、データ書き込み部（格納手段）８２、記憶部８３・８７、データ特定部（送信手段）８４および変換部（変換手段）８５を備えている。
【００８３】
記憶部８７は、端末仕様−フォーマット情報８７ａを記憶するメモリーである。端末仕様−フォーマット情報８７ａとは、歌声を着信音として鳴らすことのできる携帯電話端末の仕様と、該携帯電話端末における着信音フォーマットとを対応付けた情報である。なお、携帯電話端末の仕様によっては、歌声を着信音として再生できない場合もある。例えば、着信音として単音のみを鳴らす携帯電話端末の仕様の場合、歌声を着信音として再生できない。従って、このような仕様の携帯電話端末に対して伴奏付歌声を着信音として提供しても、利用者が使用できないため、該仕様は、端末仕様−フォーマット情報８７ａに含まれていない。また、端末仕様−フォーマット情報８７ａは、歌声を着信音として鳴らすことのできる新しい携帯電話端末が発売されるたびに、この端末の仕様およびその着信音フォーマットが追加される。
【００８４】
通信部８１は、通信ネットワークＮとの間で、データの送受信を行うものである。通信部８１は、データ受信部（データ受信手段）８１ａと、アクセス要求受信部８１ｂと、送信部（送信手段）８１ｃを備えている。
【００８５】
データ受信部８１ａは、カラオケ録音装置４から上記ＩＤ番号および暗証番号が付加された伴奏付歌声圧縮データを受信し、受信したデータをデータ書き込み部８２に出力する。
【００８６】
アクセス要求受信部８１ｂは、携帯電話９を含む携帯電話端末からのアクセス要求を受信するものであり、アクセス要求してきた通信先に応じて、通信を続行するか否かを判断する。アクセス要求受信部８１ｂは、アクセス要求をしてきた通信先である携帯電話端末の仕様を取得し、取得した端末仕様が上記記憶部８７が記憶する端末仕様−フォーマット情報８７ａに含まれるか否かを判断する。
【００８７】
含まれる場合、アクセス要求受信部８１ｂは、アクセス要求に対してアクセスを許可し、アクセス許可信号をデータ特定部８４に出力する。同時に、アクセス要求受信部８１ｂは、取得した端末仕様に対応する着信音フォーマットを読み出して、変換部８５に送る。
【００８８】
送信部８１ｃは、通信ネットワークＮを介して、所定のデータを送信するためのものである。
【００８９】
データ書き込み部８２は、データ受信部８１ａからＩＤ番号および暗証番号が付加された伴奏付歌声圧縮データを受取り、受取ったデータをＩＤ−伴奏付歌声データ８３ａとして記憶部８３に格納するためのものである。データ書き込み部８２は、記憶部８３に格納する際、伴奏付歌声圧縮データと、それに付加されたＩＤ番号および暗証番号とをそれぞれ対応付けて記憶させる。すなわち、ＩＤ−伴奏付歌声データ８３ａは、伴奏付歌声圧縮データと、ＩＤ番号と、暗証番号とが対応付けられたデータである。
【００９０】
データ特定部８４は、ダウンロードすべき着信音データを特定するためのものである。データ特定部８４は、Ｗｅｂページを利用して、携帯電話９からＩＤ番号および暗証番号を取得し、取得したＩＤ番号および暗証番号に対応する伴奏付歌声圧縮データをダウンロードすべき着信音データと特定し、該伴奏付歌声圧縮データを記憶部８３から読み出す。そして、データ特定部８４は、読み出した伴奏付歌声圧縮データを変換部８５に送る。
【００９１】
変換部８５は、データ特定部８４が読み出した伴奏付歌声圧縮データを復元し、送信先の携帯電話９に対応した着信音フォーマットに変換するためのものである。変換部８５は、アクセス要求受信部８１ｂから受けた着信音フォーマットに従って変換処理を行う。そして、変換部８５は、生成した着信音データを通信部８１、通信ネットワークＮおよび携帯電話キャリア網Ｃを介して、携帯電話９に送信する。これにより、利用者は、携帯電話９に自分がカラオケで歌った歌声入りの楽曲（つまり、カラオケ伴奏付歌声）を着信音として利用することができる。
【００９２】
（カラオケ装置における処理の流れ）
次に、利用者がカラオケを行う場合におけるカラオケ装置３の処理を、図２のブロック図および図７のフローチャートを参照しながら説明する。
【００９３】
まず、カラオケ装置３において、リモコン受信部３７は、リモコン６からの楽曲番号指定の有無があるか否かを判断する（Ｓ１）。リモコン６からの楽曲番号指定がない場合（Ｓ１でＮＯ）、再度、リモコン受信部３７は、リモコン６からの楽曲番号指定の有無を判断する（Ｓ１）。
【００９４】
リモコン６からの楽曲番号指定がある場合（Ｓ１でＹＥＳ）、リモコン受信部３７は、指定された楽曲番号（指定楽曲番号）を制御部３３に出力する。そして、制御部３３は、指定楽曲番号に対応するカラオケデータ（ＭＩＤＩファイル３２ａ、時間位置情報３２ｂおよび歌詞情報３２ｃ）を記憶部３２から読み出す（Ｓ２）。
【００９５】
その後、音楽処理部３３ａは、読み出したＭＩＤＩファイル３２ａを基に、各楽器の音を復元し、復元した伴奏をミキサー３４に出力し始める。また、映像処理部３３ｂは、読み出した歌詞情報を基に、表示装置５に歌詞を表示させる。表示装置５に表示された歌詞を基に、利用者はマイク３６に向かって歌う。
【００９６】
そして、Ｓ３において、ミキサー３４は、音楽処理部３３ａから出力された伴奏と、マイク３６に入力された歌声とを混成させ、混成された音（伴奏・歌声混成音）を所定の音量になるようにスピーカ３５から出力する。同時に、ミキサー３４は、該伴奏・歌声混成音データである伴奏付歌声データをカラオケ録音装置４に出力する。また、このとき、制御部３３は、記憶部３２から読み出した時間位置情報３２ｂも、カラオケ録音装置４に出力する。
【００９７】
そして、カラオケ装置３は、指定楽曲番号について、伴奏・歌声混成音の出力が終了すると、再び、Ｓ１に戻る。
【００９８】
このように、カラオケ装置３は、指定された１楽曲番号ごとに、伴奏付歌声データおよび時間位置情報をカラオケ録音装置４に出力する。
【００９９】
（カラオケ着信音サーバーへの着信音データの格納処理の流れ）
次に、カラオケ装置３から出力された伴奏付歌声データが、カラオケ着信音サーバー８に格納されるまでの処理の流れについて、図８のフローチャートを参照しながら説明する。
【０１００】
まず、カラオケ録音装置４において、録音処理部４１は、カラオケ装置３から上記伴奏付歌声データおよび時間位置情報を１楽曲ごとに取得する（Ｓ１１）。そして、録音処理部４１は、取得した伴奏付歌声データを記憶部４２に録音するとともに、取得した時間位置情報を記憶部４２に格納する（Ｓ１２）。また、このとき、録音処理部４１は、録音が終了したことを示す書き込み終了信号を暗証番号取得部４３に出力する。
【０１０１】
次に、書き込み終了信号を受取った暗証番号取得部４３は、カラオケで歌った歌声入り楽曲を携帯電話にダウンロードするか否かを判断する（Ｓ１３）。
【０１０２】
具体的には、録音処理部４３は、カラオケで歌った歌声入り楽曲を携帯電話９の着信音として利用するか否かを確認する旨の画面を表示装置５に表示させるとともに、リモコン受信部４７を該確認に対する指示の受信待機状態とする。例えば、暗証番号取得部４３は、表示装置５に「今歌った歌を着信音としてダウンロードする？する場合は「１」を、しない場合は「０」を押してね」のような表示を行う。そして、暗証番号取得部４３は、リモコン受信部４７が「１」信号を受信した場合、ダウンロードすると判断し、リモコン受信部４７が「０」信号を受信した場合、ダウンロードしないと判断する。
【０１０３】
ダウンロードしないと判断した場合（Ｓ１３でＮＯ）、カラオケ録音装置４は、処理を終了する。
【０１０４】
一方、ダウンロードすると判断した場合（Ｓ１３でＹＥＳ）、暗証番号取得部４３は、ダウンロードする際に用いる暗証番号の入力を促す画面を表示装置５に表示させるとともに、リモコン受信部４７を暗証番号受信待機状態とする。この結果、暗証番号取得部４３は、利用者所望の暗証番号を取得する（Ｓ１４）。ここで、暗証番号は、例えば、４桁の数字などである。暗証番号取得部４３は、暗証番号を取得すると、取得した暗証番号を切り出し部４４に出力する。
【０１０５】
次に、暗証番号が入力された切り出し部４４は、記憶部４２から時間位置情報４２ｂを読み出す。そして、切り出し部４４は、読み出した時間位置情報４２ｂに示された全てのフレーズの中から、着信音として利用するフレーズを一つ選択させる旨のフレーズ選択画面を表示装置５に表示させるとともに、リモコン受信部４７を選択フレーズ受信待機状態とする。例えば、切り出し部４４は、表示画面５に「着信音として、どのフレーズが欲しい？１番Ａメロなら「１」を、１番Ｂメロなら「２」を、…押してね」のような画面を表示させる。そして、リモコン受信部４７が「１」を受信すると、切り出し部４４は、１番Ａメロが選択フレーズであると判断する。
【０１０６】
このようにして、切り出し部４４は、リモコン受信部４７が受信した選択フレーズを、着信音として利用するフレーズとして特定する。そして、切り出し部４４は、特定したフレーズに対応する部分を伴奏付歌声データ４２ａから切り出す（Ｓ１５）。
【０１０７】
具体的には、切り出し部４４は、特定したフレーズに対応する時間位置を時間位置情報４２ｂから読み出す。そして、切り出し部４４は、伴奏付歌声データ４２ａから、読み出した時間位置に対応する部分だけを切り出す。例えば、図２に示されるように、１番Ａメロが時間０：２０〜０：４０であり、該１番Ａメロが選択フレーズである場合、切り出し部４４は、伴奏付歌声データ４２ａから時間０：２０〜０：４０の部分のみを切り出す。
【０１０８】
その後、切り出し部４４は、切り出した部分である伴奏付歌声切り出しデータと、暗証番号とをＩＤ番号付与部４５に出力する。また、切り出し部４４は、切り出し処理を終了すると、記憶部４２に格納されていた情報を全て消去する。
【０１０９】
なお、切り出し部４４は、切り出した伴奏付歌声切り出しデータをカラオケ装置３のスピーカ３５で再生させてもよい。この場合、該スピーカ３５を備えたカラオケ装置３は再生装置といえる。
【０１１０】
次に、伴奏付歌声切り出しデータを受けたＩＤ番号付与部４５は、該伴奏付歌声切り出しデータを識別するためのＩＤ番号を生成し、生成したＩＤ番号を該伴奏付歌声切り出しデータに付与する（Ｓ１６）。なお、ＩＤ番号の生成方法は、特に限定されない。例えば、ＩＤ番号付与部４５は、ＩＤ番号として、カラオケ装置３を識別する識別番号と、日時を特定する番号との組み合わせを用いてもよい。ＩＤ番号付与部４５は、ＩＤ番号の付与が終わると、該ＩＤ番号、暗証番号および伴奏付歌声切り出しデータを送信データ生成部４６に出力する。
【０１１１】
次に、送信データ生成部４６は、伴奏付歌声切り出しデータの圧縮処理を行う（Ｓ１７）。これにより、データの容量を減らせることができる。
【０１１２】
そして、送信データ生成部４６は、伴奏付歌声圧縮データに上記ＩＤ番号および暗証番号を付加した送信データを生成し、生成した送信データを、通信装置２および通信ネットワークＮを介して、カラオケ着信音サーバー８に送信する（Ｓ１８）。
【０１１３】
その後、通知部４９は、Ｓ１４で取得された暗証番号と、Ｓ１６で付与されたＩＤ番号と、サーバー着信音サーバー８が提供するＷｅｂページのＵＲＬとを表示装置５に表示させる（Ｓ１９）。表示装置５に表示された画面をメモすることにより、利用者は、カラオケで歌った歌声からなる着信音をダウンロードするサーバーのＵＲＬと、該着信音を特定するＩＤ番号とを取得することができるとともに、暗証番号を忘れることがない。その後、カラオケ録音装置４は、処理を終了する。
【０１１４】
一方、上記Ｓ１８の処理を受けて、カラオケ着信音サーバー８（図５参照）は、カラオケ録音装置４から上記送信データを受信する（Ｓ２１）。そして、カラオケ着信音サーバー８のデータ書き込み部８２は、受信したデータに含まれる伴奏付歌声圧縮データと、ＩＤ番号と、暗証番号とを互いに対応付けたＩＤ−伴奏付歌声データを作成し、作成したＩＤ−伴奏付歌声データを記憶部８３に格納する（Ｓ２２）。このようにして、カラオケ着信音サーバー８は、着信音として配信する着信音データである伴奏付歌声データを得る。
【０１１５】
（カラオケ着信音サーバーにおけるダウンロード処理の流れ）
次に、カラオケ着信音サーバー８における着信音のダウンロード処理の流れについて、図９を参照しながら説明する。
【０１１６】
まず、Ｓ３１において、カラオケ着信音サーバー８は、携帯電話９を含む携帯電話端末からのアクセス要求があるか否かを判断する（Ｓ３１）。アクセス要求がない場合（Ｓ３１でＮＯ）、カラオケ着信音サーバー８は、Ｓ３１の処理を繰り返す。
【０１１７】
一方、アクセス要求がある場合（Ｓ３１でＹＥＳ）、カラオケ着信音サーバー８におけるアクセス要求受信部８１ｂは、アクセスを要求してきた携帯電話端末から、該端末仕様に関する情報（端末仕様情報）を取得し、該携帯電話端末がサービス提供先として適当か否かを判断する（Ｓ３２）。サービス提供先として適当か否かとは、提供先の携帯電話端末が歌声を着信音として再生可能か否かということである。
【０１１８】
具体的には、アクセス要求受信部８１ｂは、アクセス要求のヘッダ等に含まれるアクセス要求元を示す情報を基に、端末仕様情報を得る。そして、アクセス要求受信部８１ｂは、取得した端末仕様（取得端末仕様）と、記憶部８７が記憶する端末仕様−フォーマット情報８７ａとを比較し、取得端末仕様が端末仕様−フォーマット情報８７ａ内にあるか否かを判断する。端末仕様−フォーマット情報８７ａ内にある場合、アクセス要求受信部８１ｂは、通信先の携帯電話端末がサービス利用可能な端末であると判断し、端末仕様−フォーマット情報８７ａ内にない場合、アクセス要求受信部８１ｂは、通信先の携帯電話端末がサービス利用可能な端末でないと判断する。
【０１１９】
通信先の携帯電話端末がサービス利用可能な端末でないと判断した場合（Ｓ３２でＮＯ）、アクセス要求受信部８１ｂは、通信先の携帯電話端末に対して、サービスが提供できない旨を通知し、処理を終了する。
【０１２０】
一方、通信先の携帯電話端末がサービス利用可能な端末であると判断した場合（Ｓ３２でＹＥＳ）、アクセス要求受信部８１ｂは、通信先の携帯電話端末の端末仕様に対応する着信音フォーマットを端末仕様−フォーマット情報８７ａから読み出し、読み出した着信音フォーマットを変換部８５に出力する。また、アクセス要求受信部８１ｂは、アクセスを許可する旨のアクセス許可信号をデータ特定部８４に出力する。また、このとき、アクセス要求受信部８１ｂは、Ｗｅｂページに図６に示すような画面を表示させ、通信先の携帯電話９に対して、カラオケで歌った歌声を含む着信音を取得できることを通知する。
【０１２１】
次に、アクセス許可信号を受けたデータ特定部８４は、ＩＤ番号を入力する画面をＷｅｂページに表示させ、通信先の携帯電話９からＩＤ番号を取得する（Ｓ３３）。つまり、データ特定部８４は、利用者に対して、上記Ｓ１９で表示され、メモしたＩＤ番号を携帯電話９に表示されたＷｅｂページに入力させる。
【０１２２】
次に、データ特定部８４は、取得したＩＤ番号が記憶部８３に格納されているか否かを判断する（Ｓ３４）。取得したＩＤ番号が記憶部８３に格納されていない場合（Ｓ３４でＮＯ）、データ特定部８４は、処理を終了する。
【０１２３】
一方、取得したＩＤ番号が記憶部８３に格納されている場合（Ｓ３４でＹＥＳ）、データ特定部８４は、取得したＩＤ番号に対応する伴奏付歌声圧縮データおよび暗証番号を記憶部８３から読み出す（Ｓ３５）。
【０１２４】
その後、データ特定部８４は、暗証番号を入力する画面をＷｅｂページに表示させ、通信先の携帯電話９から暗証番号を取得する（Ｓ３６）。つまり、データ特定部８４は、利用者に対して、上記Ｓ１４でリモコン６に入力した暗証番号（すなわち、上記Ｓ１９で表示された暗証番号）をＷｅｂページに入力させる。
【０１２５】
次に、データ特定部８４は、取得した暗証番号が読み出した暗証番号と一致するか否かを判断する（Ｓ３７）。暗証番号が一致しない場合（Ｓ３７でＮＯ）、データ特定部８４は、通信先の利用者が着信音を配信すべき相手ではないと判断し、処理を終了する。このように、暗証番号が一致しない通信先に対しては、伴奏付歌声データを送信しない。そのため、自分の歌声が知らない他人に聞かれることがなく、プライバシーが保護される。
【０１２６】
一方、暗証番号が一致する場合（Ｓ３７でＹＥＳ）、データ特定部８４は、読み出した伴奏付歌声圧縮データを変換部８５の出力する。そして、変換部８５は、伴奏付歌声圧縮データを復元し、アクセス要求受信部８１ｂから取得した着信音フォーマットに従って変換処理を行う（Ｓ３８）。これにより、変換部８５は、通信先の携帯電話９の着信音フォーマットに従った着信音データを生成できる。
【０１２７】
その後、変換部８５は、生成した着信音データを、着信音データ送信部８１ｃ、通信ネットワークＮおよび携帯電話キャリア網Ｃを介して、携帯電話９に送信する（Ｓ３９）。
【０１２８】
これにより、携帯電話９の利用者は、自分がカラオケで歌った歌声入り楽曲を、携帯電話９の着信音として利用することができる。また、カラオケ店の集客率が向上する。
【０１２９】
（その他の変形例について）
上記説明では、Ｓ３４、Ｓ３７において、同一ＩＤ番号が無い場合、または、暗証番号が一致しない場合、処理を終了するとした。しかしながら、同一ＩＤ番号が無い場合、または、暗証番号が一致しない場合、所定回数だけ、再度Ｓ３４またはＳ３７の処理を繰り返してもよい。これにより、利用者が入力ミスした場合でも、再度、利用者は、ＩＤ番号または暗証番号の入力から行うことができる。
【０１３０】
また、データ書き込み部８２は、所定期間（例えば、２週間）だけ、ＩＤ−伴奏付歌声データを記憶部８３に記憶させ、該所定期間が経過したＩＤ−伴奏付歌声データを記憶部８３から消去していってもよい。これにより、利用者は、上記所定期間中にカラオケ着信音サーバー８にアクセスすればよい。また、記憶部８３がデータで満たされることを避けることができる。
【０１３１】
また、データ書き込み部８２は、すでにダウンロード処理を行ったＩＤ−伴奏付歌声データを記憶部８３から消去してもよい。もしくは、データ書き込み部８２は、利用者からの指示に応じて、ＩＤ−伴奏付歌声データを記憶部８３から消去してもよい。これにより、利用者は、自分が歌った歌声入り楽曲が他人に対してダウンロードされる心配がなくなり、プライバシーの保護が強化される。
【０１３２】
また、利用者は、ダウンロードした歌声入り楽曲が気に入った場合、友人にカラオケ着信音サーバー８のＵＲＬおよび暗証番号を教えることも可能である。この場合、該友人も、カラオケ着信音サーバー８から同じ伴奏付歌声をダウンロードできる。また、利用者が複数の携帯電話を所有している場合、各携帯電話からカラオケ着信音サーバー８にアクセスすることで、各携帯電話に歌声入り楽曲をダウンロードさせることができる。
【０１３３】
上記説明では、着信音のダウンロードに関する課金システムについて述べなかった。課金システムとしては、様々な形態が考えられる。例えば、カラオケ録音装置４が硬貨投入口を備えており、Ｓ１３の処理（携帯電話に歌声入り楽曲をダウンロードするか否かを確認する処理）において、ＹＥＳの場合にのみ、硬貨投入口に所定の金額だけ投入させるようにしてもよい。
【０１３４】
他の例として、カラオケ着信音サーバー８の管理者が、カラオケ着信音サーバー８から歌声入り楽曲をダウンロードするたびに、ダウンロードした利用者に対してダウンロード費用を徴収することが考えられる。この場合、上記のように、一つの歌声入り楽曲に対して複数のダウンロードがあると、より多くの金額を得ることができる。あるいは、カラオケ着信音サーバー８の管理者は、上記ダウンロード費用をカラオケ店舗に負担させてもよい。これにより、該ダウンロード費用を負担したカラオケ店舗は、利用者がダウンロード費用を負担しなくてもよい点を、他店との差異点としたり、キャンペーンツールとして利用でき、集客率をより一層向上させることができる。
【０１３５】
また、上記説明では、通知部４９がＩＤ番号、暗証番号およびカラオケ着信音サーバー８のＵＲＬを表示装置５に表示させるとした。この場合、利用者は、これらＩＤ番号、暗証番号、ＵＲＬを記憶、もしくは、書き留める必要があり面倒である。そこで、カラオケ録音装置がプリンタ（情報出力装置）と接続されており、通知部４９がＩＤ番号、暗証番号およびカラオケ着信音サーバー８のＵＲＬをプリンタから印刷出力させてもよい。これにより、利用者は、ＩＤ番号等を記憶または書き留める必要がなくなる。
【０１３６】
あるいは、上記Ｓ１９において、通知部４９が表示装置５に上記ＩＤ番号に対応する二次元バーコード（例えばＱＲコード（登録商標））を表示してもよい。このとき、携帯電話９がカメラ付である場合、利用者は、表示装置５に表示された二次元バーコードを、カメラ付きの携帯電話９で撮影、認識させることができる。そして、上記Ｓ３３において、データ特定部８４は、利用者に対して、二次元バーコード認識で取得したＩＤ番号を携帯電話９に表示されたＷｅｂページに入力させる。こうすれば、利用者に対する操作負担が軽減され、利便性が向上する。
【０１３７】
また、上記説明では、カラオケ録音装置４がＩＤ番号、暗証番号および伴奏付歌声圧縮データをカラオケ着信音サーバー８に送信するとした。これに加えて、カラオケ録音装置４は、カラオケシステム７に関する情報（例えば、店名、会場名、カラオケ装置３の装置番号など）や、録音したときの時間情報（日付、時間など）を取得し、取得した情報をカラオケ着信音サーバー８に送信してもよい。そして、カラオケ着信音サーバー８は、歌声入り楽曲のダウンロードをするときに、カラオケを行った場所を表す店名や会場名、カラオケを行った日時をＷｅｂページに表示させる。これにより、利用者は、ダウンロードした歌声入り楽曲を作成したカラオケ店を特定することができる。その結果、カラオケ店側は、該利用者が別の歌声入り楽曲を作成しようと、再度カラオケを利用することを期待できる。その結果、カラオケ店の集客率を向上させることができる。
【０１３８】
また、利用者がＩＤ番号を忘れた場合、店名、会場名、カラオケ装置３の装置番号、時間情報等を基に、自分の歌声入り楽曲を特定することもできる。この場合、カラオケ着信音サーバー８のデータ特定部８４は、Ｗｅｂページにおいて、店名、会場名、カラオケ装置３の装置番号、時間情報からなる検索画面を表示させ、入力された情報を基に検索を行う。そして、データ特定部８４は、検索結果を基に、ダウンロードする伴奏付歌声圧縮データを特定する。
【０１３９】
また、上記説明では、切り出し部４４が表示画面５に時間位置情報を基にしたフレーズ選択画面を表示させて、リモコン６に選択フレーズを入力させる構成とした。これに限らず、切り出し部４４は、記憶部４２に記憶された伴奏付歌声データをカラオケ装置３のスピーカ３５（もしくは、カラオケ録音装置４が有する図示しないスピーカ）で出力させ、利用者に対して、切り出す部分を任意に選択させてもよい。
【０１４０】
また、本実施形態では、カラオケシステム７で歌った歌声入り楽曲を携帯電話の着信音として、利用者に配信するシステムとした。しかしながら、配信先としては携帯電話に限られず、ＰＨＳ（登録商標）（Personal Handyphone System）でもよく、さらにパソコン等の通信端末であってもよい。この場合、カラオケ着信音サーバー８は、カラオケ歌声入り楽曲を配信するサーバーとして機能することとなる。
【０１４１】
また、上記説明では、カラオケ装置３とカラオケ録音装置４とが別の装置であるものとしたが、カラオケ録音装置４の各構成部をカラオケ装置３が備える構成であってもよい。この場合、上記カラオケ録音装置４とカラオケ装置３との機能を一つの装置で実現するため、筐体等に要する容積または費用を削減することができる。
【０１４２】
また、上記説明では、カラオケ録音装置４が録音した伴奏付歌声データを、一度カラオケ着信音サーバー８に出力し、携帯電話９が該カラオケ着信音サーバー８から伴奏付歌声データをダウンロードする構成とした。しかしながら、カラオケ着信音サーバー８の上記各構成をカラオケ録音装置４が備える構成であってもよい。これにより、カラオケ着信音サーバー８をカラオケ録音装置４と別に設ける必要がなくなる。
【０１４３】
なお、この場合、カラオケ録音装置４において、送信データ生成部４６は、通信ネットワークＮを介さずに、直接、データ書き込み部８２にＩＤ番号、暗証番号および伴奏付歌声圧縮データを送出することができる。また、この場合、送信データ生成部４６は、圧縮処理をせずに、伴奏付歌声切り出しデータをデータ書き込み部８２に送出してもよい。
【０１４４】
〔実施形態２〕
本発明の他の実施形態について、図１０〜図１３に基づいて説明すれば、以下のとおりである。なお、説明の便宜上、前記実施形態１にて説明した図面と同じ機能を有する部材については、同じ符号を付記し、その説明を省略する。また、前記実施形態１で述べた各種の特徴点や変形例については、本実施の形態についても組み合わせて適用し得るものとする。
【０１４５】
上記実施形態１では、カラオケ録音装置４がカラオケ着信音サーバー８の提供するＷｅｂページのＵＲＬ、ＩＤ番号を表示装置５に表示させる構成とした。この場合、利用者は、表示装置５に表示されたＵＲＬ、ＩＤ番号を忘れないために、書き留める必要がある。そのため、利用者にとっては面倒な作業となる。また、書き留めた紙を紛失すると、利用者は、カラオケ着信音サーバー８にアクセスすることができず、自分が歌った歌声入り楽曲を着信音としてダウンロードできなくなってしまう。本実施形態は、このような問題点を解消しうるものである。
【０１４６】
以下、本実施形態のカラオケ着信音配信システムは、カラオケ録音装置４の代わりにカラオケ録音装置１０４を、カラオケ着信音サーバー８の代わりにカラオケ着信音サーバー１０８を備えている。他の構成であるカラオケ配信サーバー１、通信装置２、カラオケ装置３、表示装置５、リモコン６、携帯電話９、携帯電話キャリア網Ｃおよび通信ネットワークＮについては、図１に示した上記実施形態１と同様である。
【０１４７】
（カラオケ録音装置の構成について）
本実施形態のカラオケ録音装置（カラオケ処理装置）１０４について、図１０を参照しながら説明する。図１０は、カラオケ録音装置１０４の構成を示すブロック図である。図１０に示されるように、本実施形態のカラオケ録音装置１０４は、上記実施形態１のカラオケ録音装置４の構成と比較して、ＩＤ番号付与部４５の代わりにメールアドレス取得部（端末情報取得手段）４８を、送信データ生成部４６の代わりに送信データ生成部（出力手段）１４６を備えている。
【０１４８】
メールアドレス取得部４８は、カラオケで歌った歌声入り楽曲を着信音として利用する携帯電話９のメールアドレスを取得するためのものである。メールアドレスとは、携帯電話機９独自のものであり、通信端末を特定する情報である。
【０１４９】
メールアドレス取得部４８は、切り出し部４４から暗証番号および伴奏付歌声切り出しデータが入力されると、携帯電話９のメールアドレスの入力を促すメールアドレス入力画面を表示装置５に表示させるとともに、リモコン受信部４７をメールアドレス入力の受信を待機するメールアドレス受信待機状態とする。これにより、リモコン受信部４７は、利用者がリモコン６に入力したメールアドレスを受信することができる。そして、メールアドレス取得部４８は、リモコン受信部４７からメールアドレスを取得し、取得したメールアドレスと、暗証番号と、切り出し済データとを送信データ生成部１４６に出力する。
【０１５０】
送信データ生成部１４６は、メールアドレス取得部４８から受けたメールアドレス、暗証番号および伴奏付歌声切り出しデータを基に、カラオケ着信音サーバー１０８に送信する送信データを生成するためのものである。
【０１５１】
送信データ生成部１４６は、上記送信データ生成部４６と同様に、伴奏付歌声圧縮データを作成する。そして、送信データ生成部１４６は、暗証番号およびメールアドレスを付加した上記伴奏付歌声圧縮データを送信データとして生成し、通信装置２および通信ネットワークＮを介して、該送信データをカラオケ着信音サーバー１０８に送信する。
【０１５２】
また、送信データ生成部１４６は、送信データをカラオケ着信音サーバー１０８に送信するとともに、メールアドレス取得部４８が取得したメールアドレスにカラオケ着信音サーバー８のＵＲＬが送信される旨を表示装置５に所定時間表示させてもよい。
【０１５３】
（カラオケ着信音サーバーの構成について）
本実施形態のカラオケ着信音サーバー（サーバー装置）１０８について、図１１を参照しながら説明する。図１１は、カラオケ着信音サーバー１０８の構成を示すブロック図である。図１１に示されるように、本実施形態のカラオケ着信音サーバー１０８は、上記実施形態１と比較して、データ書き込み部８２の代わりにデータ書き込み部（格納手段）１８２を、データ特定部８４の代わりにデータ特定部（送信手段）１８４を備え、さらにＵＲＬ付与部（識別情報付与手段）８６を備えている。
【０１５４】
なお、本実施形態のデータ受信部８１ａは、カラオケ録音装置１０４から暗証番号およびメールアドレスが付加された伴奏付歌声圧縮データを受信し、受信したデータをＵＲＬ付与部８６に送出する。
【０１５５】
ＵＲＬ付与部８６は、カラオケ録音装置１０４から送信されてきた各伴奏付歌声圧縮データに対して、それぞれ別々のＵＲＬを付与するものである。ＵＲＬ付与部８６は、データ受信部８１ａから暗証番号およびメールアドレスが付加された伴奏付歌声圧縮データを受取る。そして、ＵＲＬ付与部８６は、受取った圧縮済データに対してユニークにＵＲＬを付与し、該ＵＲＬを付与した伴奏付歌声圧縮データと暗証番号とをデータ書き込み部１８２に送出する。また、ＵＲＬ付与部８６は、受取ったメールアドレスを送信先とし、付与したＵＲＬを本文中に含めた電子メールを作成する。そして、ＵＲＬ付与部８６は、送信部８１ｃを介して、作成した電子メールを送信する。
【０１５６】
データ書き込み部１８２は、ＵＲＬ付与部８６から該ＵＲＬを付与した伴奏付歌声圧縮データと暗証番号とを受取り、受取った伴奏付歌声圧縮データと、ＵＲＬと、暗証番号とを対応付けたデータをＵＲＬ−伴奏付歌声データ８３ｂとして、記憶部８３に格納する。
【０１５７】
データ特定部１８４は、ダウンロードすべき着信音データを特定するためのものである。データ特定部１８４は、アクセス要求受信部８１ｂからアクセス許可信号を受けると、Ｗｅｂページを利用して、通信先から暗証番号を取得する。そして、データ特定部１８４は、アクセス要求のあるＵＲＬおよび取得した暗証番号に対応する伴奏付歌声圧縮データをダウンロードすべき着信音データと特定し、該伴奏付歌声圧縮データを記憶部８３から読み出す。そして、データ特定部１８４は、読み出した伴奏付歌声圧縮データを変換部８５に送る。
【０１５８】
（カラオケ着信音サーバーへの着信音データの格納処理の流れ）
次に、カラオケ装置３が出力した伴奏付歌声データが、カラオケ着信音サーバー８に格納されるまでの本実施形態における処理の流れについて、図１２のフローチャートを参照しながら説明する。
【０１５９】
まず、上記実施形態１で説明したＳ１１〜Ｓ１５の処理が行われる。
【０１６０】
次に、Ｓ４１において、メールアドレス取得部４８は、携帯電話９のメールアドレスの入力を促すメールアドレス入力画面を表示装置５に表示させるとともに、リモコン受信部４７をメールアドレス入力の受信を待機するメールアドレス受信待機状態とする。そして、メールアドレス取得部４８は、リモコン受信部４７からメールアドレスを取得し、取得したメールアドレスと、Ｓ１４で取得された暗証番号と、Ｓ１５で切り出された伴奏付歌声切り出しデータとを送信データ生成部１４６に出力する。
【０１６１】
次に、Ｓ１７において、送信データ生成部１４６は、伴奏付歌声切り出しデータの圧縮処理を行う。
【０１６２】
そして、送信データ生成部１４６は、該伴奏付歌声圧縮データにメールアドレスおよび暗証番号を付加した送信データを生成し、生成した送信データを、通信装置２および通信ネットワークＮを介して、カラオケ着信音サーバー１０８に送信する（Ｓ４２）。なお、このとき、送信データ生成部１４６は、メールアドレスにカラオケ着信音サーバー８のＵＲＬが送信される旨を表示装置５に所定時間表示させてもよい。その後、カラオケ録音装置１０４は、処理を終了する。
【０１６３】
一方、上記Ｓ４２の処理を受けて、カラオケ着信音サーバー１０８は、カラオケ録音装置１０４から上記送信データを受信する（Ｓ４３）。データ受信部８１ａは、受信した伴奏付歌声圧縮データ、メールアドレスおよび暗証番号をＵＲＬ付与部８６に送る。
【０１６４】
次に、ＵＲＬ付与部８６は、受取った伴奏付歌声圧縮データに対してユニークなＵＲＬを該圧縮済データに付与する（Ｓ４４）。
【０１６５】
その後、ＵＲＬ付与部８６は、受取ったメールアドレスを送信先とし、付与したＵＲＬを本文中に含めた電子メールを送信する（Ｓ４５）。また、このとき、ＵＲＬ付与部８６は、ＵＲＬを付与した圧縮済データと暗証番号とをデータ書き込み部１８２に送出する。
【０１６６】
次に、データ書き込み部１８２は、受取ったＵＲＬと、暗証番号と、圧縮済データとを対応付けたＵＲＬ−伴奏付歌声データ８３ｂを記憶部８３に格納する（Ｓ４６）。そして、カラオケ着信音サーバー１０８は、着信音データの格納処理を終了する。
【０１６７】
（カラオケ着信音サーバーにおけるダウンロード処理の流れ）
次に、カラオケ着信音サーバー１０８における着信音のダウンロード処理の流れについて、図１３を参照しながら説明する。
【０１６８】
まず、上記実施形態１と同様にＳ３１およびＳ３２の処理が行われる。そして、通信先の携帯電話端末がサービス利用可能な端末でないと判断した場合（Ｓ３２でＮＯ）、アクセス要求受信部８１ｂは、通信先の携帯電話端末に対して、サービスが提供できない旨を通知し、処理を終了する。
【０１６９】
一方、通信先の携帯電話端末がサービス利用可能な端末であると判断した場合（Ｓ３２でＹＥＳ）、アクセス要求受信部８１ｂは、通信先の携帯電話端末の端末仕様に対応する着信音フォーマットを端末仕様−フォーマット情報８７ａから読み出し、読み出した着信音フォーマットを変換部８５に出力する。また、アクセス要求受信部８１ｂは、アクセスを許可する旨のアクセス許可信号をデータ特定部１８４に出力する。
【０１７０】
次に、アクセス許可信号を受けたデータ特定部１８４は、アクセス要求のあったＵＲＬに対応する伴奏付歌声圧縮データおよび暗証番号を記憶部８３から読み出す（Ｓ４７）。
【０１７１】
その後、データ特定部１８４および変換部８５は、上記実施形態１で説明したＳ３６〜Ｓ３９の処理を行い、処理を終了する。
【０１７２】
このようにして、携帯電話９の利用者は、携帯電話９に送られてきた電子メールに記載されたＵＲＬにアクセスし、暗証番号を入力することで、自分がカラオケで歌った歌声入り楽曲を、携帯電話９の着信音として利用することができる。
【０１７３】
なお、上記の説明では、データ受信部８１ａが受信したメールアドレスに向けて、ＵＲＬを含む電子メールを送信する構成とした。しかしながら、受信したメールアドレスに向けて、データ受信部８１ａが受信した伴奏付歌声データを添付ファイルとした電子メールを送信してもよい。これにより、利用者は、すぐに伴奏付歌声データを得ることができる。
【０１７４】
〔実施形態３〕
従来、携帯電話において、着信時に、着信音を鳴らすとともに着信画像を表示画面に表示させるものがある。これにより、利用者は、着信画像を見ることで着信があることを理解できるとともに、該着信画像を楽しむことができる。上記実施形態で示したように自分の歌った歌声入り楽曲を着信音として利用する場合、同時に、自分の歌っている姿を着信画像として携帯電話の表示画面に表示させると、利用者は、より一層独自性のある携帯電話を所有することができ、楽しむことができる。
【０１７５】
本実施形態は、自分の歌った歌声入り楽曲を着信音としてダウンロードするとともに、カラオケ会場で撮影された画像を着信画像として携帯電話にダウンロードすることができるカラオケ着信音・着信画像配信システムである。
【０１７６】
本実施形態について、図１４〜図１７に基づいて説明すれば、以下のとおりである。なお、説明の便宜上、前記実施形態にて説明した図面と同じ機能を有する部材については、同じ符号を付記し、その説明を省略する。また、前記実施形態で述べた各種の特徴点や変形例については、本実施の形態についても組み合わせて適用し得るものとする。
【０１７７】
以下、本実施形態のカラオケ着信音・着信画像配信システムは、カラオケ装置３の代わりにカラオケ装置（カラオケ演奏装置）２０３を、カラオケ録音装置４の代わりにカラオケ録音録画装置（カラオケ処理装置）２０４を、カラオケ着信音サーバー８の代わりにカラオケ着信音・着信画像サーバー（サーバー装置）２０８を備えている。他の構成であるカラオケ配信サーバー１、通信装置２、カラオケ装置３、表示装置５、リモコン６、携帯電話９、携帯電話キャリア網Ｃおよび通信ネットワークＮについては、図１に示した上記実施形態１と同様である。
【０１７８】
（カラオケ装置の構成について）
本実施形態のカラオケ装置２０３について、図１４を参照しながら説明する。図１４は、カラオケ装置２０３の構成を示すブロック図である。図１４に示されるように、本実施形態のカラオケ装置２０３は、上記実施形態１のカラオケ装置３の構成と比較して、制御部３３の代わりに制御部２３３を備え、さらにカメラ３８を備えている。
【０１７９】
カメラ３８は、カラオケを歌っている人の動画像を撮るものである。カメラ３８は、デジタルビデオカメラであり、撮ったデジタル画像データ（動画像データ）を制御部２３３に送る。
【０１８０】
制御部２３３は、上記音楽処理部３３ａおよび映像処理部３３ｂに加えて、画像処理部３３ｃを備えている。画像処理部３３ｃは、リモコン入力部３７から楽曲番号が入力されると、カメラ３８を該楽曲番号に対応する演奏時間だけ駆動させ、カメラ３８から動画像データを取得する。そして、画像処理部３３ｃは、取得した動画像データに対して所定の処理を施し、カラオケ録音録画装置２０４に出力する。よって、画像処理部３３ｃが出力する動画像データの時間と、音楽処理部３３ａが出力する伴奏時間とが同じとなる。なお、上記所定の処理とは、明るさ調整処理などである。
【０１８１】
また、画像処理部３３ｃは、カメラ３８から送られる動画像データを基に、表示装置５に画像を表示させてもよい。これにより、利用者は、自分の歌っている姿を確認することができる。
【０１８２】
（カラオケ録音録画装置の構成について）
本実施形態のカラオケ録音録画装置２０４について、図１５を参照しながら説明する。図１５は、カラオケ録音録画装置２０４の構成を示すブロック図である。図１５に示されるように、本実施形態のカラオケ録音録画装置２０４は、上記実施形態１のカラオケ録音装置４の構成と比較して、録音処理部４１の代わりに録音・録画処理部（記録手段）２４１を、切り出し部４４の代わりに切り出し部（切り出し手段）２４４を備えている。
【０１８３】
なお、カラオケ録音録画装置２０４には、カラオケ装置２０３から動画像データと、時間位置情報と、伴奏付歌声データとが入力される。
【０１８４】
録音・録画処理部２４１は、カラオケ装置２０３から入力された動画像データと、時間位置情報と、伴奏付歌声データとを記憶部４２に格納するためのものである。これにより、記憶部４２は、動画像データ４２ｃと、時間位置情報４２ｂと、伴奏付歌声データ４２ａとを記憶する。また、録音・録画処理部２４１は、格納処理が終了すると、書き込み終了信号を暗証番号取得部４３に出力する。
【０１８５】
切り出し部２４４は、記憶部４２に格納された伴奏付歌声データ４２ａおよび動画像データ４２ｃから、利用者が所望する箇所を切り出すためのものである。切り出し部２４４は、暗証番号取得部４３から暗証番号が入力されると、記憶部４２から時間位置情報４２ｂを読み出し、読み出した時間位置情報４２ｂを基に、フレーズ選択画面を表示装置５に表示させる。同時に、切り出し部２４４は、リモコン受信部４７をフレーズ選択指示の受信を待機する選択フレーズ受信待機状態とする。そして、切り出し部２４４は、リモコン受信部４７から、利用者が選択した選択フレーズを取得する。
【０１８６】
切り出し部２４４は、時間位置情報４２ｂを基に、取得した選択フレーズに対応する時間を特定する。そして、切り出し部２４４は、伴奏付歌声データ４２ａおよび動画像データ４２ｃから特定した時間に対応する箇所を切り出し、伴奏付歌声切り出しデータおよび動画像切り出しデータを生成する。
【０１８７】
切り出し部２４４は、動画像切り出しデータを基に、表示装置５に該動画像を表示させる。これにより、利用者は、動画像を確認することができる。この場合、表示装置５は、動画像切り出しデータを再生する再生装置といえる。
【０１８８】
そして、切り出し部２４４は、切り出した伴奏付歌声切り出しデータおよび動画像切り出しデータと、暗証番号とをＩＤ番号付与部４５に出力する。
【０１８９】
なお、本実施形態の送信データ生成部４６は、伴奏付歌声切り出しデータおよび動画像切り出しデータに対して、圧縮処理を行い、伴奏付歌声圧縮データおよび動画像圧縮データを作成する。そして、送信データ生成部４６は、該伴奏付歌声圧縮データおよび動画像圧縮データと、暗証番号と、ＩＤ番号とを含む送信データを送信する。
【０１９０】
（カラオケ着信音・着信画像サーバーの構成について）
本実施形態のカラオケ着信音・着信画像サーバー２０８について、図１６を参照しながら説明する。図１６は、カラオケ着信音・着信画像サーバー２０８の構成を示すブロック図である。
【０１９１】
図１６に示されるように、カラオケ着信音・着信画像サーバー２０８は、通信部２８１、データ書き込み部（格納手段）２８２、記憶部２８３・２８７、データ特定部（送信手段）２８４および変換部（変換手段）２８５を備えている。
【０１９２】
記憶部２８７は、端末仕様−フォーマット情報２８７ａを記憶するメモリーである。端末仕様−フォーマット情報２８７ａとは、歌声入り楽曲を着信音として鳴らすことのできるすべての携帯電話端末の仕様と、該携帯電話端末における着信音フォーマットおよび着信画像フォーマットとを対応付けた情報である。
【０１９３】
通信部２８１は、通信ネットワークＮとの間で、データの送受信を行うものである。通信部２８１は、データ受信部（データ受信手段）２８１ａと、アクセス要求受信部２８１ｂと、送信部（送信手段）２８１ｃを備えている。
【０１９４】
データ受信部２８１ａは、カラオケ録音装置４から上記ＩＤ番号および暗証番号が付加された伴奏付歌声圧縮データおよび動画像圧縮データを受信し、受信したデータをデータ書き込み部２８２に出力する。
【０１９５】
アクセス要求受信部２８１ｂは、携帯電話９などの端末装置からのアクセス要求を受信するものであり、アクセス要求してきた通信先に応じて、通信を続行するか否かを判断する。アクセス要求受信部２８１ｂは、アクセス要求をしてきた通信先である携帯電話端末の仕様を取得し、取得した端末仕様が上記記憶部２８７が記憶する端末仕様−フォーマット情報２８７ａに含まれるか否かを判断する。
【０１９６】
含まれる場合、アクセス要求受信部２８１ｂは、アクセス要求に対してアクセスを許可し、アクセス許可信号をデータ特定部２８４に出力する。同時に、アクセス要求受信部２８１ｂは、取得した端末仕様に対応する着信音フォーマットおよび着信画像フォーマットを読み出して、変換部２８５に送る。
【０１９７】
送信部２８１ｃは、通信ネットワークＮを介して、データを送信先に送信するためのものである。
【０１９８】
データ書き込み部２８２は、通信部２８１からＩＤ番号および暗証番号が付加された伴奏付歌声圧縮データおよび動画像圧縮データを受取り、受取ったデータをＩＤ−伴奏付歌声データ２８３ａおよびＩＤ−動画像データ２８３ｂとして記憶部２８３に格納するためのものである。なお、データ書き込み部２８２は、伴奏付歌声圧縮データおよび動画像圧縮データと、それに付加されたＩＤ番号および暗証番号とをそれぞれ対応付けて記憶させる。
【０１９９】
データ特定部２８４は、ダウンロードすべき着信音データおよび着信画像データを特定するためのものである。データ特定部２８４は、Ｗｅｂページを利用して、携帯電話９からＩＤ番号および暗証番号を取得する。そして、データ特定部２８４は、取得したＩＤ番号および暗証番号に対応する伴奏付歌声圧縮データおよび動画像圧縮データをダウンロードすべき着信音データおよび着信画像データと特定し、これらのデータを記憶部２８３から読み出す。データ特定部２８４は、読み出した伴奏付歌声圧縮データおよび動画像圧縮データを変換部２８５に送る。
【０２００】
変換部２８５は、データ特定部２８４から受けた伴奏付歌声圧縮データおよび動画像圧縮データを復調し、送信先の携帯電話機に対応した着信音フォーマットおよび着信画像フォーマットに変換するためのものである。変換部２８５は、アクセス要求受信部２８１ｂから受けたフォーマットに従って変換処理を行う。そして、変換部２８５は、生成した着信音データおよび着信画像データを通信部２８１、通信ネットワークＮおよび携帯電話キャリア網Ｃを介して、携帯電話機９に送信する。これにより、利用者は、自分がカラオケで歌った歌声入り楽曲を携帯電話９の着信音として、自分が歌っている動画像を携帯電話９の着信画像として利用することができる。
【０２０１】
次に、本実施形態におけるカラオケ録音録画装置２０４における処理の流れについて、図１７のフローチャートを参照しながら説明する。
【０２０２】
まず、カラオケ録音録画装置２０４において、録音録画処理部２４１は、カラオケ装置２０３から伴奏付歌声データ、動画像データおよび時間位置情報を１楽曲ごとに取得する（Ｓ５１）。
【０２０３】
そして、録音録画処理部２４１は、取得した伴奏付歌声データおよび動画像データを記憶部４２に録音および録画するとともに、取得した時間位置情報を記憶部４２に格納する（Ｓ５２）。また、このとき、録音録画処理部２４１は、録音録画が終了したことを示す書き込み終了信号を暗証番号取得部４３に出力する。
【０２０４】
次に、書き込み終了信号を受取った暗証番号取得部４３は、上記Ｓ１３およびＳ１４の処理を行い、暗所番号を取得する。
【０２０５】
次に、暗証番号が入力された切り出し部２４４は、記憶部４２から時間位置情報４２ｂを読み出す。そして、切り出し部２４４は、読み出した時間位置情報４２ｂに示された全てのフレーズの中から、着信音として利用するフレーズを一つ選択させる旨のフレーズ選択画面を表示装置５に表示させるとともに、リモコン受信部４７を選択フレーズ受信待機状態とする。この結果、切り出し部２４４は、リモコン受信部４７が受信した選択フレームを、着信音として利用するフレーズとして特定する。そして、切り出し部２４４は、特定したフレーズに対応する部分を伴奏付歌声データ４２ａおよび動画像データ４２ｃから切り出す（Ｓ５３）。
【０２０６】
具体的には、切り出し部２４４は、特定したフレーズに対応する時間位置を時間位置情報４２ｂから読み出す。そして、切り出し部２４４は、伴奏付歌声データ４２ａおよび動画像データ４２ｃから、読み出した時間位置に対応する部分だけを切り出し、伴奏付歌声切り出しデータおよび動画像切り出しデータを作成する。
【０２０７】
次に、切り出し部２４４は、動画像切り出しデータを基に、表示装置５に切り出した動画像を表示させる（Ｓ５４）。これにより、利用者は、ダウンロードできる動画像がどのようなものかを確認することができる。
【０２０８】
その後、切り出し部２４４は、伴奏付歌声切り出しデータおよび動画像切り出しデータをＩＤ番号付与部４５に出力する。ＩＤ番号付与部４５は、伴奏付歌声切り出しデータおよび動画像切り出しデータの両方に対して同じＩＤ番号を付与する（Ｓ５５）。なお、該ＩＤ番号は、伴奏付歌声切り出しデータおよび動画像切り出しデータごとに異なるものであればよい。
【０２０９】
次に、伴奏付歌声切り出しデータおよび動画像切り出しデータを受けた送信データ生成部４６は、該切り出しデータの圧縮処理を行う（Ｓ５６）。これにより、送信データの容量を減らせることができる。
【０２１０】
その後、送信データ生成部４６は、伴奏付歌声圧縮データおよび動画像圧縮データと、ＩＤ番号と、暗証番号とを含む送信データを作成し、生成した送信データを、通信装置２および通信ネットワークＮを介して、カラオケ着信音・着信画像サーバー２０８に送信する（Ｓ５７）。
【０２１１】
その後、通知部４９は、Ｓ１４で取得した暗証番号と、付与した上記ＩＤ番号と、サーバー着信音サーバー２０８が提供するＷｅｂページのＵＲＬとを表示装置５に表示させる（Ｓ１９）。表示装置５に表示された画面をメモすることにより、利用者は、カラオケで歌った歌声からなる着信音をダウンロードするサーバーのＵＲＬと、該着信音を特定するＩＤ番号とを取得することができるとともに、暗証番号を忘れることがない。なお、このとき、通知部４９は、表示装置５に上記ＩＤ番号に対応する二次元バーコードを表示してもよい。その後、カラオケ録音録画装置２０４は、処理を終了する。
【０２１２】
このようにして、カラオケ着信音・着信画像サーバー２０８は、カラオケ録音録画装置２０４からＩＤ番号、暗証番号が付与された伴奏付歌声圧縮データおよび動画像圧縮データを取得する。
【０２１３】
その後、上記実施形態１と同様に、利用者からのアクセス要求に応じて、カラオケ着信音・着信画像サーバー２０８は、ＩＤ番号および暗証番号に対応する伴奏付歌声圧縮データおよび動画像圧縮データに所定の変換処理を行い、着信音データおよび着信画像データを携帯電話９に送信する。これにより、利用者は、カラオケで自分が歌った歌声入り楽曲を着信音として利用できるとともに、該カラオケで歌っている自分の姿を着信画像として利用することができる。
【０２１４】
上記説明では、Ｓ５４において、切り出し部２４４が切り出した動画像を表示装置５に表示させる構成とした。このとき、切り出し部２４４は、表示させた動画像を携帯電話９にダウンロードするかを確認する画面を同時に表示装置５に表示させ、リモコン受信部４７で利用者の指示を受け付けてもよい。この場合、動画像をダウンロードする旨の指示を受けた場合のみ、切り出し部２４４は、動画像切り出しデータを後段に出力するものとする。これにより、利用者は、不必要な動画像をダウンロードする必要がなくなる。
【０２１５】
なお、本実施形態では、カメラ３７は、動画像を撮影するものとしたが、これに限らず、静止画像を撮影してもよい。
【０２１６】
ところで、上述した各実施の形態におけるカラオケ録音装置４・１０４、カラオケ録音録画装置２０４、カラオケ着信音サーバー８・１０８、カラオケ着信音・着信画像サーバー２０８は、プログラムをコンピュータに実行させて実現してもよい。すなわち、カラオケ録音装置４・１０４、カラオケ録音録画装置２０４、カラオケ着信音サーバー８・１０８、カラオケ着信音・着信画像サーバー２０８は、制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記録媒体などを備えてもよい。
【０２１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１８】
本発明は、一般のカラオケ施設に設置されるカラオケ装置一般に関連した装置として利用することができる。
【図面の簡単な説明】
【０２１９】
【図１】本発明の実施形態１に係るカラオケ着信音配信システムを示すブロック図である。
【図２】カラオケ配信サーバーおよびカラオケ装置３構成を示すブロック図である。
【図３】上記カラオケ配信サーバーおよびカラオケ装置が有する時間位置情報の一例を示す図である。
【図４】本発明の実施形態１に係るカラオケ録音装置の構成を示すブロック図である。
【図５】本発明の実施形態１に係るカラオケ着信音サーバーの構成を示すブロック図である。
【図６】上記カラオケ着信音サーバーが生成するＷｅｂページの一例である。
【図７】実施形態１に係るカラオケ装置３の処理の流れを示すフローチャートである。
【図８】カラオケ装置から出力された伴奏付歌声データが、カラオケ着信音サーバーに格納されるまでの処理の流れを示すフローチャートである。
【図９】上記カラオケ着信音サーバーにおける着信音のダウンロード処理の流れを示すフローチャートである。
【図１０】本発明の実施形態２に係るカラオケ録音装置の構成を示すブロック図である。
【図１１】実施形態２に係るカラオケ着信音サーバーの構成を示すブロック図である。
【図１２】実施形態２において、カラオケ装置から出力された伴奏付歌声データが、カラオケ着信音サーバーに格納されるまでの処理の流れを示すフローチャートである。
【図１３】実施形態２に係るカラオケ着信音サーバーにおける着信音のダウンロード処理の流れを示すフローチャートである。
【図１４】実施形態３に係るカラオケ装置の構成を示すブロック図である。
【図１５】実施形態３に係るカラオケ録音録画装置の構成を示すブロック図である。
【図１６】実施形態３に係るカラオケ着信音・着信画像サーバーの構成を示すブロック図である。
【図１７】実施形態３において、カラオケ装置から出力された伴奏付歌声データおよび動画像データが、カラオケ着信音・着信画像サーバーに格納されるまでの処理の流れを示すフローチャートである。
【符号の説明】
【０２２０】
３・２０３    カラオケ装置（カラオケ演奏装置）
４・１０４    カラオケ録音装置（カラオケ処理装置）
５    表示装置（情報出力装置、再生装置）
８・１０８    カラオケ着信音サーバー（サーバー装置）
９    携帯電話（通信端末）
４１    録音処理部（記録手段）
４２    記憶部
４３    暗証番号取得部
４４    切り出し部（切り出し手段）
４５    ＩＤ番号付与部（識別情報生成手段）
４６    送信データ生成部（出力手段）
４９    通知部（通知手段）
８１ａ・２８１ａ    データ受信部（データ受信手段）
８１ｃ・２８１ｃ    送信部（送信手段）
８２    データ書き込み部（格納手段）
８３    記憶部
８４・１８４・２８４    データ特定部（送信手段）
８５・２８５    変換部（変換手段）
８６    ＵＲＬ付与部（識別情報付与手段）
２０３    カラオケ装置（カラオケ演奏装置）
２０４    カラオケ録音録画装置（カラオケ処理装置）
２０８    カラオケ着信音・着信画像サーバー（サーバー装置）
Ｎ    通信ネットワーク
【図１】
2005274979.tif 000003
【図２】
2005274979.tif 000004
【図３】
2005274979.tif 000005
【図４】
2005274979.tif 000006
【図５】
2005274979.tif 000007
【図６】
2005274979.tif 000008
【図７】
2005274979.tif 000009
【図８】
2005274979.tif 000010
【図９】
2005274979.tif 000011
【図１０】
2005274979.tif 000012
【図１１】
2005274979.tif 000013
【図１２】
2005274979.tif 000014
【図１３】
2005274979.tif 000015
【図１４】
2005274979.tif 000016
【図１５】
2005274979.tif 000017
【図１６】
2005274979.tif 000018
【図１７】
2005274979.tif 000019